(57)【要約】【課題】遊技店の店員による不正計数を防止することを課題とする。【解決手段】ＣＲユニット１０では、Ｔ／Ｃ３０の稼働可否であるシステム状態を監視するとともに遊技店の営業可否を表すホール状態を取得し、これらシステム状態およびホール状態に応じて、シャッタの開閉制御を行うことで、遊技店の営業が終了して締上げを行う場合には計数ユニット１８内のシャッタを自動的に閉制御するとともに、遊技店が他の運用状態にある場合にもその運用状態に適合したシャッタ状態に開閉制御することとした。【選択図】図４
2010268966.tif 000002
【特許請求の範囲】
【請求項１】
遊技台に対応して設けられるとともに、外部から投入される遊技媒体を計数部に誘導するまでの通路の所定箇所を遮断または開放するシャッタを有する各台対応装置であって、
複数の各台対応装置に接続される管理装置の稼働可否であるシステム状態を監視するシステム状態監視手段と、
遊技店の営業可否を表すホール状態を取得するホール状態取得手段と、
前記システム状態監視手段によって監視されるシステム状態および前記ホール状態取得手段によって取得されたホール状態に応じて、前記シャッタの開閉制御を行うシャッタ制御手段と
を有することを特徴とする各台対応装置。
【請求項２】
前記ホール状態取得手段は、前記各台対応装置を遠隔操作する遠隔操作装置または前記管理装置から前記ホール状態を取得することを特徴とする請求項１に記載の各台対応装置。
【請求項３】
前記遠隔操作装置が前記ホール状態を通知する権限を有する遠隔操作装置であるか否かを判定する通知権限判定手段をさらに有し、
前記ホール状態取得手段は、前記権限判定手段によってホール状態を通知する権限を有する遠隔操作装置であると判定されることを条件に、当該遠隔操作装置を通知元として取得したホール状態を有効とすることを特徴とする請求項２に記載の各台対応装置。
【請求項４】
前記ホール状態取得手段によって前記遠隔操作装置を通知元としてホール状態が取得された場合に、当該遠隔操作装置の操作履歴を所定の操作履歴記憶手段に登録し、前記管理装置を通知元としてホール状態が取得された場合に、当該管理装置の操作履歴を登録するように前記管理装置に依頼する操作履歴登録処理手段をさらに有することを特徴とする請求項２に記載の各台対応装置。
【請求項５】
遊技台に対応して設けられるとともに、外部から投入される遊技媒体を計数部に誘導するまでの通路の所定箇所を遮断または開放するシャッタを有する各台対応装置であって、
外部装置から前記シャッタの開指示または閉指示を受け付ける開／閉指示受付手段と、
前記開／閉指示受付手段によって受け付けられた開指示または閉指示にしたがって、前記シャッタの開閉制御を行うシャッタ制御手段と
を有することを特徴とする各台対応装置。
【請求項６】
遊技台に対応して設けられるとともに、外部から投入される遊技媒体を計数部に誘導するまでの通路の所定箇所を遮断または開放するシャッタを有する各台対応装置に適用するシャッタ制御方法であって、
複数の各台対応装置に接続される管理装置の稼働可否であるシステム状態を監視するシステム状態監視工程と、
遊技店の営業可否を表すホール状態を取得するホール状態取得工程と、
前記システム状態監視工程によって監視されるシステム状態および前記ホール状態取得工程によって取得されたホール状態に応じて、前記シャッタの開閉制御を行うシャッタ制御工程と
を含んだことを特徴とするシャッタ制御方法。
【発明の詳細な説明】
【技術分野】
【０００１】
本発明は、遊技台に対応して設けられるとともに、外部から投入される遊技媒体を計数部に誘導するまでの通路の所定箇所を遮断または開放するシャッタと有する各台対応装置及びそのシャッタ制御方法に関する。
【背景技術】
【０００２】
近年、パチンコ遊技やパチスロ遊技を提供するパチンコ店等の遊技店では、島端等に配設される計数機での遊技媒体の計数を不要化する観点から、遊技結果として投出された賞遊技媒体を各遊技台に併設される各台対応装置で計数し、その計数結果を持ち遊技媒体として各台対応装置内のカード等の記録媒体に関連付けておき、この持ち遊技媒体の範囲内で現物返却を行う各台計数システムが普及しつつある。
【０００３】
例えば、特許文献１には、各台計数方式の場合でも玉箱またはメダル箱で一部の遊技媒体を持って台移動できるように、遊技台の下皿の下方に設けられた遊技媒体の受入部、この受入部から遊技機島内に連通する流下通路、この流下通路上に設けられた計数手段を含んで構成される計数機と、計数機の受入部上方（遊技台の下皿下方）に配設され、底部近傍に排出孔を有するとともに排出孔を開閉するシャッタおよびその開閉操作機構を有する遊技媒体収納箱とを具備した遊技媒体計数システムが開示されている。
【０００４】
この遊技媒体計数システムでは、遊技媒体収納箱が計数機上方の定位置に設置された場合に収納箱の排出孔と整合する位置に計数機の投入孔が設けられており、この投入孔を開閉するシャッタは、会員である遊技客に予め付与された会員カードまたは一般遊技客に一時的に貸与される仮会員カードを台間玉貸機に受け入れた場合のみ開放される。
【０００５】
ところで、島端型の計数機としては、遊技店の店員が所持する計数カード（鍵カード）を受け入れた場合にだけ計数機のシャッタを開放する技術が特許文献２及び特許文献３に開示されている。このうち、特許文献３には、鍵カードとして会員カードを代用させることも記載されている。
【先行技術文献】
【特許文献】
【０００６】
【特許文献１】特開平１１−５７２００号公報
【特許文献２】特開２００１−８７５２６号公報
【特許文献３】特開２００４−８４４５号公報
【発明の概要】
【発明が解決しようとする課題】
【０００７】
ところで、各台計数システムにおいては、各遊技席で遊技媒体が計数されることになるので、玉箱またはメダル箱等の収納箱を島端に運搬する必要がなくなる反面、実際には遊技で獲得されていない架空の遊技媒体を計数する不正計数の温床となることが懸念されている。
【０００８】
すなわち、島端計数機の場合には、遊技媒体の計数が行われる箇所が限られており、計数時に人目につきやすいことが抑止効果となっていたが、各台計数システムの場合には、全遊技台で不正計数を行う余地があるので、監視の目が行き届かないおそれがある。
【０００９】
さらに、遊技客による不正計数は、悪意のない一般店員および管理者の２者以上で監視を行うことができるが、悪意を持って不正計数を行う店員は、遊技店の管理者によって監視されるにとどまり、管理者が全ての店員を監視するのは現実的に不可能であるため、遊技店の店員による不正計数には脆弱な面がある。
【００１０】
特に、遊技店の営業終了後には、遊技客は退店して店内にいないものの、各種帳票を作成する締上げ業務が終了するまでは各台対応装置をはじめとする店内システムは稼働状態にあり、さらには、遊技店の店員は閉店業務を行うために店内に残っているので、閉店業務を装いながら不正計数が実行された場合にその不正計数を看破するのは非常に困難である。
【００１１】
しかしながら、上述した特許文献１〜３は、以下に説明するように、いずれも遊技店の店員に悪意がある場合にシャッタを容易に開放し得るものであり、遊技店の店員による不正計数を防止するにはおのずから限界があった。
【００１２】
例えば、上記の特許文献１の場合には、遊技店の店員が一般遊技客に貸与するための仮会員カードを悪用してシャッタを開放することができるため、遊技店の店員による不正計数を防止することはできない。
【００１３】
また、上記の特許文献２及び特許文献３は、そもそも計数カードまたは鍵カードを遊技店の店員に所持させることを前提としたものであり、遊技店の店員に悪意がある場合に対応できず、これらの文献を各台計数システムに援用したとしても、店員自身が所持する計数カードまたは鍵カードを用いれば不正計数を容易に行うことができてしまう。
【００１４】
そこで、本発明は、上述した従来技術による課題（問題点）を解消するためになされたものであり、遊技店の店員による不正計数を防止することができる各台対応装置及びそのシャッタ制御方法を提供することを目的とする。
【課題を解決するための手段】
【００１５】
上述した課題を解決し、目的を達成するために、本発明に係る各台対応装置は、遊技台に対応して設けられるとともに、外部から投入される遊技媒体を計数部に誘導するまでの通路の所定箇所を遮断または開放するシャッタを有する各台対応装置であって、複数の各台対応装置に接続される管理装置の稼働可否であるシステム状態を監視するシステム状態監視手段と、遊技店の営業可否を表すホール状態を取得するホール状態取得手段と、前記システム状態監視手段によって監視されるシステム状態および前記ホール状態取得手段によって取得されたホール状態に応じて、前記シャッタの開閉制御を行うシャッタ制御手段とを有することを特徴とする。
【００１６】
また、本発明に係る各台対応装置は、上記の発明において、前記ホール状態取得手段は、前記各台対応装置を遠隔操作する遠隔操作装置または前記管理装置から前記ホール状態を取得することを特徴とする。
【００１７】
また、本発明に係る各台対応装置は、上記の発明において、前記遠隔操作装置が前記ホール状態を通知する権限を有する遠隔操作装置であるか否かを判定する通知権限判定手段をさらに有し、前記ホール状態取得手段は、前記権限判定手段によってホール状態を通知する権限を有する遠隔操作装置であると判定されることを条件に、当該遠隔操作装置を通知元として取得したホール状態を有効とすることを特徴とする。
【００１８】
また、本発明に係る各台対応装置は、上記の発明において、前記ホール状態取得手段によって前記遠隔操作装置を通知元としてホール状態が取得された場合に、当該遠隔操作装置の操作履歴を所定の操作履歴記憶手段に登録し、前記管理装置を通知元としてホール状態が取得された場合に、当該管理装置の操作履歴を登録するように前記管理装置に依頼する操作履歴登録処理手段をさらに有することを特徴とする。
【００１９】
また、本発明に係る各台対応装置は、遊技台に対応して設けられるとともに、外部から投入される遊技媒体を計数部に誘導するまでの通路の所定箇所を遮断または開放するシャッタを有する各台対応装置であって、外部装置から前記シャッタの開指示または閉指示を受け付ける開／閉指示受付手段と、前記開／閉指示受付手段によって受け付けられた開指示または閉指示にしたがって、前記シャッタの開閉制御を行うシャッタ制御手段とを有することを特徴とする。
【００２０】
また、本発明に係るシャッタ制御方法は、遊技台に対応して設けられるとともに、外部から投入される遊技媒体を計数部に誘導するまでの通路の所定箇所を遮断または開放するシャッタを有する各台対応装置に適用するシャッタ制御方法であって、複数の各台対応装置に接続される管理装置の稼働可否であるシステム状態を監視するシステム状態監視工程と、遊技店の営業可否を表すホール状態を取得するホール状態取得工程と、前記システム状態監視工程によって監視されるシステム状態および前記ホール状態取得工程によって取得されたホール状態に応じて、前記シャッタの開閉制御を行うシャッタ制御工程とを含んだことを特徴とする。
【発明の効果】
【００２１】
本発明によれば、遊技店の営業が終了して締上げを行う場合には計数部内のシャッタを自動的に閉制御するとともに、遊技店が他の運用状態にある場合にもその運用状態に適合したシャッタ状態に開閉制御することができ、遊技店の店員による不正計数を防止するとともに、遊技店の運用ニーズに適合したシャッタ制御を実現することが可能になる。
【００２２】
また、本発明によれば、各種のイベントや新台導入により営業時間が変動する場合でも正確な営業開始時刻または営業終了時刻でホール状態を取得することができ、遊技店の運用ニーズに正確に適合したシャッタ制御を実現することが可能になる。
【００２３】
また、本発明によれば、たとえばホール状態を通知する操作を行う者を店長や幹部などの幹部店員だけに限定することができ、一般店員が不正を働こうとした場合でも一般店員が所持する遠隔操作装置で誤ったホール状態通知を送信してシャッタが開放されることを防止することが可能になる。
【００２４】
また、本発明によれば、不正計数やトラブルが発生した場合にその原因となる操作者や通知内容などの操作履歴を特定することができ、事後対応を適正に行うことが可能になる。
【００２５】
また、本発明によれば、遊技店の営業が終了して締上げを行う場合には計数部内のシャッタを閉操作するとともに、遊技店が他の運用状態にある場合にもその運用状態に適合したシャッタ状態に開閉操作することができ、遊技店の店員による不正計数を防止することが可能になる。
【図面の簡単な説明】
【００２６】
【図１】図１は、本実施例に係るＣＲユニットのシャッタ制御を説明するための説明図である。
【図２】図２は、本実施例に係るＣＲユニットの外観を示した正面図である。
【図３】図３は、本実施例に係る計数ユニットを側面から見た場合の断面図である。
【図４】図４は、本実施例に係るＣＲユニットの内部構成を示す機能ブロック図である。
【図５】図５は、操作履歴記憶部に記憶される情報の構成例を示す図である。
【図６】図６は、モード記憶部に記憶される情報の構成例を示す図である。
【図７】図７は、本実施例に係るシャッタ制御処理の手順を示すフローチャートである。
【図８】図８は、本発明の応用例を説明するための説明図である。
【図９】図９は、本発明の応用例を説明するための説明図である。
【図１０】図１０は、操作権限記憶部に記憶される情報の構成例を示す図である。
【発明を実施するための形態】
【００２７】
以下に添付図面を参照して、本発明に係る各台対応装置及びシャッタ制御方法の好適な実施例を詳細に説明する。なお、以下では、本発明をパチンコ遊技に適用する場合について説明することとする。
【実施例】
【００２８】
まず、本実施例に係る各台対応装置（以下、ＣＲユニットと記載）が実行するシャッタ制御について説明する。図１は、本実施例に係るＣＲユニットのシャッタ制御を説明するための説明図である。
【００２９】
図１に示すように、ＣＲユニット１０は、遊技店内の各遊技台に併設されるカード処理ユニットであり、本実施例では、後述するパチンコ機２０の下皿から投入されるパチンコ玉を計数する計数ユニット１８をさらに有する。
【００３０】
このＣＲユニット１０は、自装置が接続されたパチンコ機２０で遊技客が獲得したパチンコ玉を計数ユニット１８で計数した上で、カード返却時には、持ち玉返却等により計数値の電子データから現物のパチンコ玉に還元して消化された分の数値を除き、その時点で残存している残存計数値を持ち玉として一般カードや会員カードに関連付け、持ち玉を関連付けたカードを発行（返却）する。なお、計数ユニット１８には、パチンコ玉の通過を検出する計数センサが玉通路上に設けられるとともに、計数センサよりも上流側に玉通路を遮断または開放するシャッタが設けられている。
【００３１】
また、ＣＲユニット１０は、従来と同様、現金を用いたり、一般カードや会員カード等のカードに価値付けられたプリペイド残額を用いた玉貸しも行う。従って、各台計数方式の場合には、１枚のカードに持ち玉とプリペイド残額の２種類の遊技価値が関連付けられる。
【００３２】
Ｔ／Ｃ３０は、価値管理テーブルを用いて、一般カードまたは会員カードに関連付けられたプリペイド残額および持ち玉などの遊技価値を管理する装置である。この価値管理テーブルは、カードの識別情報（以下、カードＩＤと言う）、プリペイド残額及び持ち玉数を対応付けて記憶している。
【００３３】
例えば、ＣＲユニット１０からプリペイド残額の加算依頼（価値付け依頼）を受け付けた場合には、当該加算依頼に含まれるカードＩＤに対応するプリペイド残額に挿入紙幣金額などの価値付け依頼金額を加算更新し、また、プリペイド残額の減算依頼を受け付けた場合には、当該減算依頼に含まれるカードＩＤに対応するプリペイド残額から玉貸しの貸出単位金額等の減算依頼金額を減算更新する。
【００３４】
また、ＣＲユニット１０から持ち玉の加算依頼を受け付けた場合には、当該加算依頼に含まれるカードＩＤに対応する持ち玉数に残存計数値などの加算依頼玉数を加算更新し、また、図示しない景品の交換制御を行う景品管理装置から持ち玉の減算依頼を受け付けた場合には、当該減算依頼に含まれるカードＩＤに対応する持ち玉数から交換対価とされる玉数等の減算依頼玉数を減算更新する。
【００３５】
このように、遊技店には、貸し玉を取り扱うプリペイドカードシステムと持ち玉を取り扱う各台計数システムが併存している。
【００３６】
ここで、本実施例では、遊技店が営業を終了してからＴ／Ｃ３０で帳票を作成する締上げ処理が終了してシステムの稼働が停止されるまでの間隙を突いて遊技店の店員により行われる不正計数を防止するシャッタ制御をはじめ、遊技店の運用状態に適合したシャッタ制御を行う仕組みにその特徴がある。
【００３７】
すなわち、ＣＲユニット１０では、Ｔ／Ｃ３０の稼働可否であるシステム状態を監視するとともに遊技店の営業可否を表すホール状態を取得し、これらシステム状態およびホール状態に応じて、シャッタの開閉制御を行う。
【００３８】
遊技店においては、大別して、営業、締上げ、閉店、開店準備の４つの運用モードが存在する。このうち、営業時には、店内に遊技客を受け入れて遊技サービスを提供し、締上げ時には、遊技客を全て退店させた非営業の状態で各種帳票を作成する締上げ処理をＴ／Ｃ３０に実行させ、閉店時には、非営業かつシステム稼働停止の状態にし、開店準備時には、システムを起動して遊技店の受入れを準備する。
【００３９】
ここで言う営業とは、遊技客に対する遊技サービスを指し、システムとは、ＣＲユニット１０及びＴ／Ｃ３０を含む各台計数システムを指し、システムの稼働とは、Ｔ／Ｃ３０が起動しており、かつ持ち玉を更新または更新し得る状態を指し、閉店とは、非営業状態であるだけでなくシステムの稼働をはじめ全ての業務が停止している状態を指す。
【００４０】
つまり、ＣＲユニット１０では、システム状態およびホール状態を収集した上で、遊技店がいずれの運用モードにあるのかを判別し、その運用モードに適合したシャッタ状態になるようにシャッタの開閉制御を自律的に行う。
【００４１】
これを具体的に説明すると、ＣＲユニット１０は、所定の周期または所定のタイミングでＴ／Ｃ３０と通信を行っており、この通信の中での電文の授受によりシステムの稼働可否、すなわちシステム状態を監視するとともに、Ｔ／Ｃ３０またはリモコン５０等の外部装置によって通知される営業終了通知または営業開始通知の受付待機状態にある。
【００４２】
そして、ＣＲユニット１０は、Ｔ／Ｃ３０から営業開始通知または営業終了通知などのホール状態通知を受け付けたり（１Ａ）、リモコン５０からホール状態通知を受け付けたり（１Ｂ）、或いはシステム状態に変化を検知した場合（１Ｃ）などに、遷移先の運用モードを判別する（２）。
【００４３】
例えば、運用モード１を営業、運用モード２を締上げ、運用モード３を閉店、運用モード４を開店準備としたとき、運用モード１は営業状態かつシステム稼働状態と定義され、運用モード２は非営業状態かつシステム稼働状態と定義され、運用モード３は非営業状態かつシステム停止状態と定義され、また、運用モード４は非営業状態かつシステム稼働状態と定義されるとともに、運用モード１〜４の順番にモード遷移することが定義される（図６参照）。
【００４４】
かかる定義を予め設定しておいた上で、ＣＲユニット１０では、滞在モードが運用モード１である場合に営業終了通知を受け付けると、遷移先モードを運用モード２と判別し、滞在モードが運用モード２である場合にシステムの稼働が停止すると、遷移先モードを運用モード３と判別し、滞在モードが運用モード３である場合にシステムが稼働すると、遷移先モードを運用モード４と判別し、また、滞在モードが運用モード４である場合に営業開始通知を受け付けると、遷移先モードを運用モード１と判別する。
【００４５】
このように遷移先の運用モードを判別して、ＣＲユニット１０は、遷移先の運用モードと対応付けて規定されているシャッタ開閉制御を実行する（３）。
【００４６】
例えば、ＣＲユニット１０は、遷移先の運用モードが運用モード２である場合には、締上げ時に閉店業務を装いながら不正計数が行われることを防止するために、計数ユニット１８内のシャッタを閉制御する。
【００４７】
そして、ＣＲユニット１０は、遷移先の運用モードが運用モード３である場合には、計数ユニット１８の背面に設けられるとともに遊技台の列設方向に設けられる玉循環機構、いわゆるドブに流れ込まず、計数ユニット１０の受け皿や玉通路内に滞留しているパチンコ玉が時間経過に伴ってドブに落ちるようにシャッタを開制御する。
【００４８】
また、ＣＲユニット１０は、遷移先の運用モードが運用モード４である場合には、計数ユニット１８内の計数センサが正常に動作するか否かを確認するために、シャッタを開制御する。
【００４９】
さらに、ＣＲユニット１０は、遷移先の運用モードが運用モード１である場合には、遊技店の運用方針に基づいて設定された任意のシャッタ状態になるようにシャッタを開制御または閉制御する。
【００５０】
なお、かかる運用モード１「営業」のシャッタ状態としては、シャッタが閉状態にあることを基本とし、パチンコ機２０から出力される特賞パルスやセーフパルスを検出した場合や会員カードを受け入れている場合にだけシャッタを開制御したり、或いはシャッタを定常的に開状態にするなどの各種の運用方針に基づき任意に設定できる。
【００５１】
したがって、本実施例では、遊技店の営業が終了して締上げを行う場合には計数ユニット１８内のシャッタを自動的に閉制御するとともに、遊技店が他の運用状態にある場合にもその運用状態に適合したシャッタ状態に開閉制御することができ、遊技店の店員による不正計数を防止するとともに、遊技店の運用ニーズに適合したシャッタ制御を実現することが可能になる。
【００５２】
続いて、本実施例に係るＣＲユニットの構成について説明する。なお、ここでは、ＣＲユニットの外観構成について説明してから内部構成を説明することとする。
【００５３】
図２は、本実施例に係るＣＲユニットの外観を示した正面図である。なお、この図２には、ＣＲユニット１０が併設されたパチンコ機２０を破線で示している。
【００５４】
図２に示すように、ＣＲユニット１０は、縦長の直方体型の筐体として構成したもので、本体正面の上部から順に、状態表示部１０１と、紙幣挿入部１０２と、リモコン受光部１０３と、７ＳＥＧ表示部１０４と、ボタン操作部１０５と、持ち玉払出部１０６と、カード挿入部１０７と、計数ユニット１８と、受け皿１０８とを有する。なお、計数ユニット１８の説明は図３を用いて後述する。
【００５５】
状態表示部１０１は、ＣＲユニット１０の機器状態を表すためのＬＥＤ等のランプであり、例えば、ユニットが待機状態にある場合には、ＬＥＤを緑色点灯し、エラー中には、ＬＥＤを赤色点灯し、また、会員カード挿入中には、ＬＥＤを青色点灯する。
【００５６】
紙幣挿入部１０２は、玉貸しのための各種紙幣を受け付ける繰込み／繰出し機構である。また、リモコン受光部１０３は、従業員が所持するリモコンが発光する赤外線を受光する受光センサである。
【００５７】
この紙幣挿入部１０２の背面には、内部に受け入れた紙幣を識別するＢＶユニットが設けられており、このＢＶユニット部では、紙幣の金種（例えば、千円、二千円、五千円及び一万円）を識別する。なお、挿入紙幣が識別不能な紙幣または偽造紙幣である場合には紙幣を返却する。
【００５８】
７ＳＥＧ表示部１０４は、プリペイド残額、貯玉数、ポイント数や残投出個数などをセグメント表示するＬＥＤ群であり、例えば、ユニットが待機状態にある場合には、プリペイド残額または貯玉数を表示し、貸し玉または再プレイ玉の払出し中には、残投出個数を表示し、また、エラー中には、エラーコード等を表示する。
【００５９】
ボタン操作部１０５は、暗証番号を入力するためのテンキーや再プレイ操作を受け付ける再プレイボタンなどの各種ボタン群の総称である。また、持ち玉払出部１０６は、持ち玉を払い出すノズルを備えた投出機構である。持ち玉の払出は、持ち玉払出部１０６から投出する必要はなく、貸玉投出と同様に遊技機２０から払い出すようにしてもよい。
【００６０】
カード挿入部１０７は、一般カードや会員カード等のカード類の受付／返却を行う繰込み／繰出し機構である。カード挿入部１０７の背面には、一般カードや会員カード等のカードに記録された情報を読み取るカード処理部を有する。
【００６１】
カード処理部では、カード挿入部１０７を介して挿入されたカードを受け付けてデータを読み取り、プリペイド残額がゼロでない一般カードや会員カードについては、後述するパチンコ機２０側の返却ボタン２１３の押下操作に応答してカード挿入部１０７から返却する。
【００６２】
また、カード処理部は、プリペイド残額が関連付けられていない一般カードを予め複数枚収納しており、カード返却操作がなされるまでに現金投入によりプリペイド残額が発生した場合には、プリペイド残額が関連付けられた一般カードをカード挿入部１０７から排出（返却）する。
【００６３】
受け皿１０８は、計数ユニット１０８に導入する獲得玉を受け入れるものである。この受皿部１０８には、持ち玉数を表示する持ち玉表示部１０８ａと、持ち玉の返却（払戻し）要求を受け付ける持玉返却ボタン１０８ｂとが付設されている。
【００６４】
一方、パチンコ機２０には、パチンコ遊技に使用するパチンコ玉を貯留する上皿２１０と、上皿２１０の許容容量を超えて溢れたパチンコ玉を貯留する下皿２２０とが設けられており、この上皿２１０には、一般カードのプリペイド残額等を表示する７ＳＥＧ表示部２１１と、玉貸し要求を受け付ける玉貸しボタン２１２と、一般カードや会員カードの返却要求を受け付ける返却ボタン２１３とがさらに設けられている。
【００６５】
なお、本実施例では、玉貸しボタン２１２及び返却ボタン２１３をパチンコ機２０に設けることとしたが、必ずしもパチンコ機２０側に設ける必要はなく、ＣＲユニット１０に設けることとしてもよい。
【００６６】
パチンコ玉を借り受ける際には、遊技客がパチンコ機２０側の玉貸しボタン２１２を押下操作すると、玉貸し操作信号がＣＲユニット１０に転送されてＣＲユニット１０側で玉貸し操作が受け付けられる。このとき、プリペイド残額が存在する場合には、ＣＲユニット１０からパチンコ機２０に玉投出指示が行われて貸し玉が上皿２１０に投出されることになる。
【００６７】
獲得玉を計数する際には、パチンコ機２０の下皿２２０から獲得玉を受皿部１０８に投入すると、その投入玉が計数ユニット１８に誘導されて獲得玉の数量が計数される。そして、遊技者が持玉返却ボタン１０８ｂを押下すると、後述する持ち玉記憶部１７ａによって記憶管理されている持ち玉数の範囲内であれば、払戻し単位玉数等の持ち玉が持ち玉払出部１０６経由でパチンコ機２０の上皿２１０に投出される。
【００６８】
なお、本実施例では、貸し玉をパチンコ機２０経由で投出させ、持ち玉を持ち玉払出部１０６経由で投出させる場合について説明したが、持ち玉をパチンコ機２０経由で投出させることとしてもよいし、また、貸し玉を持ち玉払出部１０６経由で投出させることとしてもかまわない。
【００６９】
次に、本実施例に係る計数ユニットについて説明する。図３は、本実施例に係る計数ユニットを側面から見た場合の断面図である。
【００７０】
図３に示すように、計数ユニット１８には、受け皿１０８から導入されたパチンコ玉をドブに誘導する玉通路１８ｄと、パチンコ玉の通過を検出する計数センサ１８ａと、玉通路１８ｄの上流側から計数センサ１８ａに至るまでの通路を遮断または開放するためのシャッタ１８ｃと、シャッタ１８ｃを開閉駆動するソレノイド等のシャッタ駆動部１８ｂとが設けられている。なお、実際には、仕切り板で区切ることにより複数の玉通路１８ｄが設けられており、計数センサ１８ａは各玉通路ごとに設けられる。
【００７１】
シャッタ１８ｃが開状態である場合には、受け皿１０８に投入されたパチンコ玉が玉通路の自然勾配により上流から下流へ転がり、そのパチンコ玉が計数センサ１８ａの検出対象範囲を通過すると、計数センサ１８ａによるセンサ出力が図示しない計数制御基板に出力され、持ち玉表示部１０８ａの持ち玉表示が更新制御されるとともに計数値の増加を表す計数パルスが後述する持ち玉更新部１７に出力される。
【００７２】
また、シャッタ１８ｃが閉状態である場合には、受け皿１０８に投入されたパチンコ玉が玉通路の自然勾配により上流から下流へ転がるものの、シャッタ１８ｃによって玉通路１８ｄが遮断されているので、計数センサ１８ａの検出対象範囲までパチンコ玉が転がらずにせき止められる。
【００７３】
次に、本実施例に係るＣＲユニットの内部構成について説明する。図４は、本実施例に係るＣＲユニットの内部構成を示す機能ブロック図である。なお、実際のＣＲユニット１０では、図示した機能部以外の機能部（例えば、操作部、表示部、パチンコ機２０との通信インターフェース、カード処理部、ＢＶユニットやプリペイド残額の更新依頼部など）を有するが、図４では、本実施例に係るＣＲユニット１０の特徴を説明するために必要な構成要素のみを抜粋している。
【００７４】
図４に示すように、このＣＲユニット１０は、リモコン受光部１１ａと、操作履歴記憶部１１ｂと、リモコン処理部１１と、通信Ｉ／Ｆ部１２と、ホール状態取得部１３と、システム状態監視部１４と、モード記憶部１５ａと、モード制御部１５と、シャッタ開閉制御部１６と、持ち玉記憶部１７ａと、持ち玉更新部１７とを有する。
【００７５】
リモコン受光部１１ａは、遊技店の従業員が所持するリモコン５０が発光する赤外線を受光する受光素子を有する受信部である。
【００７６】
操作履歴記憶部１１ｂは、リモコン５０による操作履歴を記憶する記憶部であり、操作時刻ごとにリモコン５０の操作者及び通知内容を記憶する。例えば、図５に示す例では、９時５０分に店員１によるリモコン操作で営業開始通知を受け付け、２２時５５分に幹部１によるリモコン操作で営業終了通知を受け付けたことを示している。
【００７７】
なお、本実施例では、営業開始通知や営業終了通知などのホール状態通知に関する操作履歴を操作履歴記憶部１１ｂで記憶する場合を例示したが、スタックカードの補充や紙幣回収などの他の業務の操作履歴を記憶することとしてもよい。
【００７８】
リモコン処理部１１は、リモコン受光部１１ａを介してリモコンから受け付けた指令コードを解釈してその指令を指令先の機能部に通知する処理部である。
【００７９】
リモコン５０との間のデータ授受について説明すると、リモコン５０では、たとえばホール状態通知のコマンドの他、紙幣回収やカード補充／回収のボタンが設けられており、これらコマンドに対応したボタンがリモコン受光部１１ａを照準にして押下されると、リモコン５０の識別情報であるリモコンＩＤ及び押下ボタンに対応する指令コードがリモコン受光部１１ａに送信される。
【００８０】
そして、リモコン処理部１１では、リモコン受光部１１ａを介してリモコンＩＤ及び指令コードを受信すると、図示しないコマンド管理テーブルを用いて、リモコン５０から受信した指令コードに対応するコマンドを解釈し、該解釈したコマンドの操作権限がリモコンＩＤに付与されているか否かを判定し、その結果、操作権限が付与されている場合に、コマンドに対応する処理を実行する機能部にその内容を通知する。
【００８１】
通信Ｉ／Ｆ部１２は、図示しない島コントローラやＴ／Ｃ３０などの他の装置の間で各種通信を行うためのインターフェースである。
【００８２】
ホール状態取得部１３は、Ｔ／Ｃ３０またはリモコン５０などの他装置からホール状態を取得する処理部である。具体的には、リモコン処理部１１または通信Ｉ／Ｆ部１２を介して営業開始通知または営業終了通知などのホール状態通知を受け付け、モード制御部１５に出力する。
【００８３】
このように、Ｔ／Ｃ３０またはリモコン５０などの他装置からホール状態を取得すれば、各種のイベントや新台導入により営業時間が変動する場合でも正確な営業開始時刻または営業終了時刻で営業開始通知または営業終了通知を取得することができ、後述するモード制御部１５でモード遷移を適確に行うことが可能になる。
【００８４】
システム状態監視部１４は、Ｔ／Ｃ３０との間で通信を行ってシステム状態を監視する処理部である。具体的には、所定の周期、たとえば１分間隔でＴ／Ｃ３０に対してシステムの稼働状態を問い合わせる電文を通信Ｉ／Ｆ部１２を介して送信しており、その結果、ＡＣＫ等の肯定電文の応答が得られた場合には、システムが稼働状態にあると判定し、また、ＮＡＣＫ等の否定電文の応答が得られた場合には、システムが停止状態にあると判定する。そして、システム稼働状態からシステム停止状態に切り替わった場合、或いはシステム停止状態からシステム稼働状態に切り替わった場合など、システム状態が変化した場合に、システム状態の変化を後述するモード制御部１５に通知する。
【００８５】
モード記憶部１５ａは、運用モードに関する情報を記憶する記憶部である。具体的には、滞在中の運用モードを記憶する他、図６に示すように、各運用モードごとにシステム状態及びホール状態の定義、シャッタ状態及び付帯制御を記憶する。
【００８６】
例えば、図６に示す例では、運用モード１では、遊技店の運用方針に基づき任意のシャッタ状態を設定でき、運用モード１に遷移した際に付帯して行うべき処理が特段設定されていないことを示している。運用モード２では、モード遷移時にシャッタ閉制御を実行すべき旨が設定されている。運用モード３では、モード遷移時にシャッタ開制御を実行すべき旨が設定されるとともに計数ユニット１８からの計数出力を無効化すべき旨が設定されている。また、運用モード４では、モード遷移時にシャッタ開制御を実行すべき旨が設定されるとともに他モード移行時に計数値をゼロクリアすべき旨が設定されている。
【００８７】
モード制御部１５は、ＣＲユニット１０の運用モードのモード遷移を行う処理部である。具体的には、ホール状態取得部１３によってホール状態通知を取得された場合、或いはシステム状態監視部１４によってシステム状態の変化が検知された場合に、遷移先の運用モードを判別し、モード記憶部１５ａを参照して、遷移先として判別した運用モードに対応するシャッタ開閉制御をシャッタ開閉制御部１６に実行させる。
【００８８】
また、モード制御部１５は、ホール状態通知の通知元がリモコン５０である場合には、操作時刻（通知受付時刻）、リモコンＩＤに対応する操作者及び通知内容をリモコン処理部１１に登録させ、また、ホール状態通知の通知元がＴ／Ｃ３０である場合には、Ｔ／Ｃ３０での操作履歴を登録するようにＴ／Ｃ３０に依頼する。
【００８９】
なお、Ｔ／Ｃ３０では、Ｔ／Ｃ３０を操作する操作者ごとにアカウントが設定されており、モード制御部１５からの操作履歴の登録依頼に応答して、営業開始または営業終了の操作入力が行われたアカウントを有する操作者および通知内容が操作入力時刻とともにハードディスク等の記憶部に操作履歴として登録される。
【００９０】
シャッタ開閉制御部１６は、モード制御部１５による指示に基づき、計数ユニット１８のシャッタ１８ｃの開閉制御を行う処理部である。具体的には、計数ユニット１８のシャッタ駆動部１８ｂを開駆動させてシャッタ１８ｃを開放したり、シャッタ駆動部１８ｂを閉駆動させてシャッタ１８ｃを閉めたりする。
【００９１】
持ち玉更新部１７は、持ち玉記憶部１７ａを用いて、持ち玉（残存計数値）の管理を行う処理部である。具体的には、計数ユニット１８から計数出力を受け付けた場合には、持ち玉記憶部１７ａに記憶された持ち玉数に計数出力の回数に相当する玉数を加算更新し、また、持ち玉返却ボタン１０８ｂの押下操作を受け付けた場合には、持ち玉記憶部１７ａに記憶された持ち玉数から払戻し単位玉数を減算更新し、払戻し単位玉数分のパチンコ玉を持ち玉払出部１０６経由で上皿２１０に投出させる。なお、持ち玉の減算更新時には、持ち玉数が払戻し単位玉数に満たない場合には全持ち玉数を減算更新し、また、持ち玉数がゼロである場合には以降の動作を実行しない。
【００９２】
また、持ち玉更新部１７は、モード制御部１５による指示にしたがって、計数出力の無効化および計数値のゼロクリアを行う。
【００９３】
例えば、モード制御部１５によって運用モード３「閉店」にモード遷移された場合には、計数ユニット１０の受け皿や玉通路内に滞留しているパチンコ玉を時間経過に伴ってドブに落とすためにシャッタ開制御が実行されるが、そのこぼれ玉をドブに流すことに目的があり計数することに意味はない。
【００９４】
このため、持ち玉更新部１７は、運用モード３に滞在している場合には、計数ユニット１８でこぼれ玉が計数されて計数出力が行われてもその計数出力を無効とし、持ち玉記憶部１７ａの計数値の更新は実行しない。
【００９５】
また、モード制御部１５によって運用モード４「開店準備」にモード遷移された場合には、計数ユニット１８内の計数センサが正常に動作するか否かを確認するためにシャッタ開制御が実行されるが、次の遷移先である運用モード１「営業」に移行した営業開始直後に持ち玉記憶部１７ａに計数値が残されていると、遊技客が他の遊技客により席取りが行われているものと判断した場合にはその遊技台を敬遠するので遊技台の稼働率が下がったり、また、遊技客が気にせずに遊技を行った場合には残された計数値が遊技店の損益となってしまう。
【００９６】
このため、持ち玉更新部１７は、運用モード４から運用モード１に移行する場合に、持ち玉記憶部１７ａに記憶された計数値をゼロクリアする。
【００９７】
次に、本実施例に係るＣＲユニットの処理の流れについて説明する。図７は、本実施例に係るシャッタ制御処理の手順を示すフローチャートである。この処理は、ＣＲユニット１０の電源がＯＮ状態である限り、再帰的に実行される処理である。
【００９８】
図７に示すように、モード制御部１５は、Ｔ／Ｃ３０またはリモコン５０等の外部装置によって通知される営業終了通知または営業開始通知の受付待機状態（ステップＳ７０１否定）、そしてシステム状態の変化待機状態（ステップＳ７０２否定）にある。
【００９９】
ここで、ホール状態取得部１３によってホール状態通知を取得された場合（ステップＳ７０１肯定）、或いはシステム状態監視部１４によってシステム状態の変化が検知された場合（ステップＳ７０２肯定）には、モード制御部１５は、遷移先の運用モードを判別する（ステップＳ７０３）。
【０１００】
すなわち、モード制御部１５は、滞在モードが運用モード１である場合に営業終了通知を受け付けると、遷移先モードを運用モード２と判別し、滞在モードが運用モード２である場合にシステムの稼働が停止すると、遷移先モードを運用モード３と判別し、滞在モードが運用モード３である場合にシステムが稼働すると、遷移先モードを運用モード４と判別し、また、滞在モードが運用モード４である場合に営業開始通知を受け付けると、遷移先モードを運用モード１と判別する。
【０１０１】
その後、モード制御部１５は、モード記憶部１５ａを参照して、遷移先として判別した運用モードに対応するシャッタ開閉制御をシャッタ開閉制御部１６に実行させる（ステップＳ７０４）。
【０１０２】
続いて、ホール状態通知の通知元がリモコン５０である場合（ステップＳ７０５肯定）には、モード制御部１５は、操作時刻（通知受付時刻）、リモコンＩＤに対応する操作者及び通知内容をリモコン処理部１１に登録させ（ステップＳ７０６）、また、ホール状態通知の通知元がＴ／Ｃ３０である場合（ステップＳ７０５否定）には、Ｔ／Ｃ３０での操作履歴を登録するようにＴ／Ｃ３０に依頼する（ステップＳ７０７）。
【０１０３】
そして、モード制御部１５は、モード記憶部１５ａに記憶される滞在モードを遷移先の運用モードに更新し（ステップＳ７０８）、処理を終了する。
【０１０４】
上述してきたように、本実施例によれば、Ｔ／Ｃ３０の稼働可否であるシステム状態を監視するとともに遊技店の営業可否を表すホール状態を取得し、これらシステム状態およびホール状態に応じて、シャッタの開閉制御を行うように構成したので、遊技店の営業が終了して締上げを行う場合には計数ユニット１８内のシャッタを自動的に閉制御するとともに、遊技店が他の運用状態にある場合にもその運用状態に適合したシャッタ状態に開閉制御することができ、遊技店の店員による不正計数を防止するとともに、遊技店の運用ニーズに適合したシャッタ制御を実現することが可能である。
【０１０５】
さらに、本実施例によれば、ホール状態の通知元がリモコン５０である場合に、当該リモコン５０の操作履歴を操作履歴記憶部１１ｂに登録し、ホール状態の通知元がＴ／Ｃ３０である場合に、当該Ｔ／Ｃ３０の操作履歴を登録するようにＴ／Ｃ３０に依頼するように構成したので、不正計数やトラブルが発生した場合にその原因となる操作者や通知内容などの操作履歴を特定することができ、事後対応を適正に行うことが可能である。
【０１０６】
ところで、上記の実施例では、リモコン５０またはＴ／Ｃ３０で営業開始または営業終了のボタン操作または操作入力を受け付け、これらの操作に応答して営業開始通知または営業終了通知を行うこととしたが、必ずしも手操作に応答してホール状態を通知する必要はない。
【０１０７】
例えば、各パチンコ機２０の遊技台情報を収集・管理するホールコンピュータ７０では、通常営業、イベント営業や新台導入などの各種営業形態での売上や粗利などの実績を分析する観点から単位営業時間での売上や粗利を算出しており、かかる算出を行うために営業日ごとの営業時間が設定として記憶されている。
【０１０８】
このことから、本発明では、営業開始通知または営業終了通知をＣＲユニット１０に行わせるようにホールコンピュータ７０を構成することもできる。
【０１０９】
すなわち、図８に示すように、ホールコンピュータ７０では、営業開始時刻または営業終了時刻に至ることを契機に営業開始通知または営業終了通知などのホール状態通知をＴ／Ｃ３０を経由してＣＲユニット１０に行う（１）。なお、このホール状態通知を受け付けたＣＲユニット１０では、図１の場合と同様に、（２）遷移先の運用モードの判別及び（３）シャッタ開閉制御が実行される。
【０１１０】
これによって、リモコン５０またはＴ／Ｃ３０で営業開始または営業終了のボタン操作または操作入力を不要化し、ＣＲユニット１０へのホール状態の通知を自動的に行うことが可能になる。
【０１１１】
なお、ここでは、ホールコンピュータ７０からＴ／Ｃ３０を経由してＣＲユニット１０にホール状態を通知することとしたが、ホールコンピュータ７０からＴ／Ｃ３０へ営業日ごとの営業時間を通知しておき、ホール状態通知をＴ／Ｃ３０に行わせることとしてもよい。
【０１１２】
また、上記の実施例では、Ｔ／Ｃ３０またはリモコン５０からＣＲユニット１０にホール状態を通知する場合について説明したが、本発明はこれに限定されるものではなく、Ｔ／Ｃ３０またはリモコン５０からシャッタ１８ｃの開指令および閉指令などのシャッタ操作命令を直接通知させることとしてもよい。
【０１１３】
例えば、リモコン５０を通じてシャッタ１８ｃのシャッタ操作命令を行う場合には、リモコン５０にシャッタ１８ｃの開ボタンまたは閉ボタンを設けておき、リモコン５０では、これらのボタン押下に応答してシャッタ１８ｃの開指令または閉指令をリモコン受光部１１ａに送信する（図８の白矢印を参照）。
【０１１４】
また、Ｔ／Ｃ３０を通じてシャッタ１８ｃのシャッタ操作命令を行う場合には、Ｔ／Ｃ３０では、キーボードやマウスなどの指示入力手段を介してシャッタ１８ｃの開操作または閉操作の入力を受け付け、該受け付けたシャッタ１８ｃの開指令または閉指令をＣＲユニット１０に送信する（図８の白矢印を参照）。
【０１１５】
そして、シャッタ開閉制御部１６は、リモコン５０またはＴ／Ｃ３０からシャッタ１８ｃの開指令を受け付けた場合には、シャッタ駆動部１８ｂを開駆動させてシャッタ１８ｃを開放し、また、リモコン５０またはＴ／Ｃ３０からシャッタ１８ｃの閉指令を受け付けた場合には、シャッタ駆動部１８ｂを閉駆動させてシャッタ１８ｃを閉める。
【０１１６】
このように、Ｔ／Ｃ３０またはリモコン５０での開指令または閉指令の操作に応答してシャッタ１８ｃを開閉制御することで、遊技店の営業が終了して締上げを行う場合には計数ユニット１８内のシャッタを閉操作するとともに、遊技店が他の運用状態にある場合にもその運用状態に適合したシャッタ状態に開閉操作することができ、上記の実施例と同様に、遊技店の店員による不正計数を防止することが可能である。
【０１１７】
また、上記の実施例では、システム状態の監視、ホール状態の取得、モード制御およびシャッタ開閉制御をＣＲユニット１０主体で実行させる場合について説明したが、本発明はこれに限定されるものではなく、上記の一連の処理をＴ／Ｃ３０で実行させることとしてもよい。
【０１１８】
例えば、図９に示すように、Ｔ／Ｃ３０では、自装置の稼働可否を監視するとともに、通知される営業終了通知または営業開始通知の受付待機状態にあり、ホールコンピュータ７０から営業開始通知または営業終了通知などのホール状態通知を受け付けたり（１Ａ）、或いはシステム状態の変化を検知した場合（１Ｂ）などに、遷移先の運用モードを判別する（２）。なお、遷移先の運用モードの判別は、図１で説明した判別ロジックを用いて行われる。
【０１１９】
このように遷移先の運用モードを判別して、Ｔ／Ｃ３０は、遷移先の運用モードと対応付けて規定されているシャッタ状態になるようにシャッタ開閉指令をＣＲユニット１０に行う（３）。
【０１２０】
一方、ＣＲユニット１０では、Ｔ／Ｃ３０からシャッタ開指令を受け付けた場合には、シャッタ駆動部１８ｂを開駆動させてシャッタ１８ｃを開放し、また、Ｔ／Ｃ３０からシャッタ閉指令を受け付けた場合には、シャッタ駆動部１８ｂを閉駆動させてシャッタ１８ｃを閉める（４）。
【０１２１】
なお、運用モード３「閉店」の場合には、持ち玉を更新または更新し得る状態から離脱してシステムの稼働が停止されるにとどまらず、Ｔ／Ｃ３０の電源がＯＦＦ状態にされることも想定されるので、Ｔ／Ｃ３０の電源ＯＦＦ操作によりシステム状態の変化を検知した場合（運用モード３にモード遷移する場合）には、Ｔ／Ｃ３０の電源がＯＦＦ操作に応答して運用モード３に対応するシャッタ開指令をＣＲユニット１０に行った上で電源をＯＦＦ状態にする必要がある。
【０１２２】
このように、ホール状態取得、システム状態監視、モード制御およびシャッタ開閉指令を行うようにＴ／Ｃ３０を構成すれば、上記の実施例と同様に、遊技店の営業が終了して締上げを行う場合には計数ユニット１８内のシャッタを自動的に閉制御するとともに、遊技店が他の運用状態にある場合にもその運用状態に適合したシャッタ状態に開閉制御することができる。さらには、遊技店の全遊技台または遊技島単位でシャッタ開閉指令を一括して行うことが可能になる。
【０１２３】
また、本発明では、リモコン５０がホール状態を通知する権限を有するリモコン５０であるか否かを判定するようにリモコン処理部１１を構成し、リモコン処理部１１によってホール状態を通知する権限を有するリモコン５０であると判定されることを条件に、当該リモコン５０を通知元として取得したホール状態を有効とするようにホール状態取得部１３を構成してもよい。
【０１２４】
これを具体的に説明すると、図１０に示す操作権限記憶部１１ｃを図４に示したＣＲユニット１０にさらに設ける。図１０に示す例では、一般店員である店員１及び店員２には、リモコン５０によるホール状態通知を禁止する一方で、店長や社員などの幹部店員である幹部１、幹部２及び幹部３には、リモコン５０でホール状態通知を行う権限を付与する。
【０１２５】
また、幹部店員の中でもホール状態の通知権限を段階的に付与することもできる。すなわち、同図に示すように、幹部１には、営業開始通知および営業終了通知の両方を行う権限を付与する一方で、幹部２には、営業開始通知だけを許容し、幹部３には、営業終了通知だけを許容する。
【０１２６】
そして、ＣＲユニット１０のリモコン処理部１１は、リモコン５０からリモコンＩＤおよび指令コードをリモコン受光部１１ａを介して受信した場合に、図示しないコマンド管理テーブルを用いて、リモコン５０から受信した指令コードに対応するコマンドを解釈する。
【０１２７】
このとき、たとえば受信した指令コードが営業開始通知または営業終了通知に対応するコマンドであったとした時には、リモコン処理部１１は、操作権限記憶部１１ｃを参照して、受信したリモコンＩＤのリモコン５０がコマンドに対応する営業開始または営業終了の通知権限を有するか否かを判定する。
【０１２８】
その結果、ホール状態取得部１３は、リモコン処理部１１によって通知権限を有すると判定された場合には、リモコン５０を介して受け付けた営業開始通知または営業終了通知を有効とし、リモコン処理部１１によって通知権限を有しないと判定された場合には、リモコン５０を介して受け付けた営業開始通知または営業終了通知を破棄する。
【０１２９】
これによって、ホール状態を通知する操作を行う者を店長や幹部などの幹部店員だけに限定することができ、一般店員が不正を働こうとした場合でも一般店員が所持するリモコン５０で誤ったホール状態通知を送信してシャッタが開放されることを防止できる。
【０１３０】
また、ここでは、ホール状態を通知する権限を有するか否かを判定することとしたが、操作権限記憶部１１ｃにシャッタの開閉操作権限を設定しておき、リモコン５０がシャッタの開閉操作権限を有するリモコン５０であるか否かを判定することで、シャッタの開閉操作を行う者を店長や幹部などの幹部店員だけに限定することができる。
【０１３１】
なお、同様に、Ｔ／Ｃ３０においても、店長や幹部などの幹部店員がログインするアカウントだけにホール状態の通知権限またはシャッタの開閉操作権限を付与することもできる。
【０１３２】
なお、上記の実施例では、遷移先のモードを判別してから自装置のシャッタ１８ｃだけを開閉制御する場合について説明したが、本発明はこれに限定されるものではなく、複数のＣＲユニット１０とＴ／Ｃ３０との間に介在して中継を行う島コントローラを介して、他のＣＲユニット１０にシャッタ開閉指令を行うようにしてもよい。また、Ｔ／Ｃ３０にシャッタ開閉指令を通知すれば、遊技店全てのＣＲユニット１０にシャッタ開閉指令を転送することができる。
【０１３３】
これによって、上記の実施例で説明したシステム状態取得、ホール状態取得およびモード制御を行う機能を有するＣＲユニット１０を遊技店に１台もしくは遊技島に１台設けるだけで、同様のシャッタ開閉制御を他のＣＲユニットでも実行させることができ、遊技店の新機能導入のコストを低減させることができる。
【０１３４】
また、上記の実施例では、ＣＲユニット１０の内下部に計数ユニット１８を含んで構成する場合について説明したが、ＣＲユニット１０とは独立した計数装置として設けることもできる。例えば、パチンコ機２０の下皿２２０の下部にある膳板上に計数装置を設けるタイプの各台計数システムにも本発明を同様に適用することができる。なお、この場合には、計数装置とＣＲユニット１０は通信可能に接続される。
【０１３５】
なお、上記の実施例では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１３６】
以上のように、本発明に係る各台対応装置及びシャッタ制御方法は、遊技店の店員による不正計数を防止する場合に適している。
【符号の説明】
【０１３７】
１０    ＣＲユニット
１１    リモコン処理部
１１ａ  リモコン受光部
１１ｂ  操作履歴記憶部
１２    通信Ｉ／Ｆ部
１３    ホール状態取得部
１４    システム状態監視部
１５    モード制御部
１５ａ  モード記憶部
１６    シャッタ開閉制御部
１７    持ち玉更新部
１７ａ  持ち玉記憶部
１８    計数ユニット
１８ａ  計数センサ
１８ｂ  シャッタ駆動部
１８ｃ  シャッタ
１８ｄ  玉通路
３０    Ｔ／Ｃ
５０    リモコン
【図１】
2010268966.tif 000003
【図２】
2010268966.tif 000004
【図３】
2010268966.tif 000005
【図４】
2010268966.tif 000006
【図５】
2010268966.tif 000007
【図６】
2010268966.tif 000008
【図７】
2010268966.tif 000009
【図８】
2010268966.tif 000010
【図９】
2010268966.tif 000011
【図１０】
2010268966.tif 000012